(57)【要約】      （修正有）【課題】少なくとも２つの信号入力と少なくとも２つの電気信号出力とを有する混合器から出力される、少なくとも部分的には相関する少なくとも２つの出力信号ストリームを処理する方法および電子回路を提供する。【解決手段】混合器の出力信号の相関信号成分を無相関信号成分から遅延なしで分離可能とする方法、および装置または電子回路を提供するために、混合器の出力信号ストリームの差分を、出力信号ストリームの読み出し時に２つ一組で直接生成するとともに、上記回路が、２つの混合器出力それぞれにおける信号ストリーム間の差分を瞬間的に生成する装置を有する構成としている。【選択図】  図１
2005338062.tif 000002
【特許請求の範囲】
【請求項１】
少なくとも２つの信号入力と少なくとも２つの電気信号出力とを有する混合器から出力される、少なくとも部分的には相関する少なくとも２つの出力信号ストリームを処理する方法であって、該混合器出力の出力信号ストリームの差分を、該信号ストリームの読み出し時に２つ一組で直接生成することを特徴とする方法。
【請求項２】
前記混合器の入力信号が電気信号であることを特徴とする、請求項１に記載の方法。
【請求項３】
前記混合器の入力信号のうち少なくとも１つが電気信号である一方、前記混合器のその他の入力信号のうち少なくとも１つが電磁波であることを特徴とする、請求項１に記載の方法。
【請求項４】
前記混合器が光混合装置であることを特徴とする、請求項３に記載の方法。
【請求項５】
前記混合器の読み出し電極がダイオードとして設計されたことを特徴とする、請求項１乃至４のいずれかに記載の方法。
【請求項６】
第１の混合器出力の信号ストリームは反転されて、第２の混合器出力の信号ストリームとともに、第１加算点に伝達されることを特徴とする、請求項１乃至５のいずれかに記載の方法。
【請求項７】
第１の混合器出力の信号ストリームが測定されることを特徴とする、請求項１乃至６のいずれかに記載の方法。
【請求項８】
第１の混合器出力の信号ストリームは、好ましくは調節装置を用いて、該信号ストリームに応じた電圧信号に変換され、次いで該電圧信号は、好ましくは電圧電流変換器を用いて、該電圧信号に応じた少なくとも１つの電流信号に変換されるようになっており、該少なくとも１つの電流信号は、前記信号ストリームを反転したものであって、前記電流信号の１つが、第２の混合器出力の信号ストリームとともに、第１加算点に伝達されることを特徴とする、請求項１乃至７のいずれかに記載の方法。
【請求項９】
前記電流信号の１つが積分されることを特徴とする、請求項８に記載の方法。
【請求項１０】
前記調節装置は、その電圧入力に印加される電圧によって制御されることを特徴とする、請求項８または９に記載の方法。
【請求項１１】
前記電圧電流変換器の特性は、制御入力を介して調節されることを特徴とする、請求項８乃至１０のいずれかに記載の方法。
【請求項１２】
前記第１の混合器出力の反転信号ストリームと前記第１の混合器出力の信号ストリームとは、同じ値を有することを特徴とする、請求項６乃至１１のいずれかに記載の方法。
【請求項１３】
前記電流信号の差分が積分されて電圧信号が生成されることを特徴とする、請求項１乃至１２のいずれかに記載の方法。
【請求項１４】
２つの混合器出力における信号ストリームの合計がさらに生成されることを特徴とする、請求項１乃至１３のいずれかに記載の方法。
【請求項１５】
第１の混合器出力および第２の混合器出力の信号ストリームが複製されるとともに、該２つの混合器出力それぞれにおける２つの信号ストリームの一方が第２加算点に伝達されることを特徴とする、請求項１乃至１４のいずれかに記載の方法。
【請求項１６】
前記合計電流信号が積分されて電圧信号が生成されることを特徴とする、請求項１４または１５に記載の方法。
【請求項１７】
少なくとも２つの信号入力と少なくとも２つの電気信号出力とを有する混合器から出力される、少なくとも部分的には相関する少なくとも２つの出力信号ストリームを処理する電子回路であって、２つの混合器出力それぞれにおける信号ストリーム間の差分を瞬間的に生成する装置を有する電子回路。
【請求項１８】
前記混合器の入力信号が電気信号であることを特徴とする、請求項１７に記載の電子回路。
【請求項１９】
前記混合器の入力信号のうち少なくとも１つが電気信号である一方、前記混合器のその他の入力信号のうち少なくとも１つが電磁波であることを特徴とする、請求項１７に記載の電子回路。
【請求項２０】
前記混合器が光混合装置であることを特徴とする、請求項１９に記載の電子回路。
【請求項２１】
前記混合器の読み出し電極がダイオードとして設計されたことを特徴とする、請求項１７乃至２０のいずれかに記載の電子回路。
【請求項２２】
第１の混合器出力の信号ストリームを反転するインバータを有し、該インバータの出力と第２の混合器出力とが第１加算点に接続されたことを特徴とする、請求項１７乃至２１のいずれかに記載の電子回路。
【請求項２３】
第１の混合器出力の信号ストリームを測定する装置が設けられたことを特徴とする、請求項１７乃至２２のいずれかに記載の電子回路。
【請求項２４】
第１の混合器出力の信号ストリームをそれに応じた電圧信号に変換する装置、好ましくは調節装置と、該電圧信号をそれに応じた少なくとも１つの電流信号に変換する装置、好ましくは電圧電流変換器とを有し、該少なくとも１つの電流信号は、前記信号ストリームを反転したものであることを特徴とする、請求項１７乃至２３のいずれかに記載の電子回路。
【請求項２５】
前記調節装置は、その電圧入力に印加される電圧によって制御可能であることを特徴とする、請求項２４に記載の電子回路。
【請求項２６】
前記電圧電流変換器の特性は、制御入力を介して調節可能であることを特徴とする、請求項２４または２５に記載の電子回路。
【請求項２７】
前記電圧信号に応じた電流信号の１つを積分する装置を有することを特徴とする、請求項２４乃至２６のいずれかに記載の電子回路。
【請求項２８】
第１の混合器出力の信号ストリームと第１の混合器出力の反転信号ストリームとは、同じ値を有することを特徴とする、請求項１７乃至２７のいずれかに記載の電子回路。
【請求項２９】
第１加算点に接続され、前記電流信号の差分を積分して電圧信号を生成する装置を有することを特徴とする、請求項１７乃至２８のいずれかに記載の電子回路。
【請求項３０】
２つの混合器出力における信号ストリームの合計を生成する装置がさらに設けられたことを特徴とする、請求項１７乃至２９のいずれかに記載の電子回路。
【請求項３１】
前記２つの混合器出力の各信号ストリームに対してレプリケータが設けられ、各レプリケータの出力の一方が第２加算点に接続されたことを特徴とする、請求項１７乃至３０のいずれかに記載の電子回路。
【請求項３２】
前記合計信号を積分する装置が設けられたことを特徴とする、請求項３０または３１に記載の電子回路。
【請求項３３】
少なくとも部分的には相関する少なくとも２つの混合器出力信号ストリームを処理する前記回路が集積回路であることを特徴とする、請求項１７乃至３２のいずれかに記載の電子回路。
【請求項３４】
少なくとも部分的には相関する少なくとも２つの混合器出力信号ストリームを処理する少なくとも１つの回路と、少なくとも１つの混合器とが、集積スイッチング回路上に集積されたことを特徴とする、請求項１７乃至３３のいずれかに記載の電子回路。
【請求項３５】
請求項１〜１６に記載した方法の実行に適したことを特徴とする、請求項１７乃至３４のいずれかに記載の電子回路。
【発明の詳細な説明】
【技術分野】
【０００１】
本発明は、少なくとも２つの信号入力と少なくとも２つの電気信号出力とを有する混合器から出力される、少なくとも部分的には相関する２つの出力信号ストリームを処理する方法および電子回路に関する。
【背景技術】
【０００２】
２つ以上の電気・光信号または電磁信号を混合可能であるとともに、複合電気信号を出力可能とした電子混合装置や光電混合装置については、従来技術として公知である。
【０００３】
一般的に、上記混合器の少なくとも２つの入力信号は、互いに相関関係にあり、この２つの入力信号が同じ変調周波数を有する場合は、ホモダイン信号混合と称される。混合する信号が相関信号成分のみからなる場合は、混合処理の結果として、相互間でのみ相関関係にある信号成分を有する出力信号が混合器の出力において得られる。
【０００４】
しかし、相関信号成分に加えて、無相関の信号成分を有する入力信号が１つ以上存在する場合が多く、１つの入力信号または入力信号の１箇所にのみ現れる信号成分、すなわち、他の入力信号の成分と相関関係にない信号成分により、混合器の出力信号において無相関の信号が寄与することになる。
【０００５】
出力信号の無相関信号成分の振幅は、相関信号成分と同程度の大きさ以上であることが多く、そのため、出力信号の無相関信号成分によって、下流側の信号処理装置のダイナミックレンジが制限されてしまうことが多い。極端な場合は、無相関信号成分によって上記信号処理装置のダイナミックレンジが狭くなってしまうことさえあり、その結果、相関混合信号をそれ以上処理できなくなってしまう。
【０００６】
混合器の出力信号ストリームの無相関信号成分を相関信号成分から遅延なしで分離可能とする方法や装置は、上記従来技術においては知られていない。
【０００７】
【特許文献１】独国特許出願公開第１９８２１９７４Ａ１号明細書
【発明の開示】
【０００８】
この従来技術との比較により、本発明の目的は、混合器の出力信号の相関信号成分を無相関信号成分から遅延なしで分離可能とする方法、および装置および／または電子回路を提供することにある。
【０００９】
上記目的は、少なくとも２つの信号入力と少なくとも２つの電気信号出力とを有する混合器から出力される、少なくとも部分的には相関する少なくとも２つの出力信号ストリームを処理する方法であって、混合器の出力信号ストリームの差分を、出力信号ストリームの読み出し時に２つ一組で直接生成する方法を提供する本発明によって達成される。
【００１０】
少なくとも部分的には相関する少なくとも２つの混合器出力信号ストリームに関する処理方法を上記のように発展させることにより、混合器の出力信号ストリーム間の差分を２つ一組で生成する際に、相関信号成分のみが差分信号に寄与することになるため都合がよい。これにより、無相関信号成分を混合器の１または複数の出力信号から効果的に分離することができる。
【００１１】
差分の生成時に得られる信号は、混合器の信号ストリームの相関信号成分を２倍したものに等しい。これにより、相関信号の処理に対して、上記信号処理装置のダイナミックレンジ全域を利用することが可能である。また、広い信号帯域にわたって無相関の信号成分を抑制することは、非常に有効なことである。
【００１２】
さらに、本発明の方法は、２つの出力および２の倍数個の出力を備えたすべての混合器に適用可能であるという利点を有する。
【００１３】
本発明によれば、混合器の各２つの出力に対する差分信号の生成は、事前に信号積分や多重スキャンを実施することなく、信号処理中に瞬間的すなわちリアルタイムで行われる。
【００１４】
出力信号処理のための上記方法は、入力信号が電気信号である電子混合装置と、入力信号のうち少なくとも１つが光信号または電磁信号である光電混合装置とのいずれにも適用可能である。
【００１５】
高周波技術で利用されるショットキーダイオード受信機は、上記のような混合装置の一例である。
【００１６】
上記特許文献１に開示されているいわゆる光混合装置（略してＰＭＤ）は、上記のような光電混合装置のその他の例である。この公知文献の開示内容については、本出願にすべて援用されている。
【００１７】
上記のような光混合装置は、入射電磁放射による電荷キャリアの生成が行われる感光材料を有しており、これら光子から生成される電荷キャリアは、光混合装置の変調ゲートに印加された電界中を移動する。ここで、信号ストリームの測定を行うが、変調ゲートと新たな読み出し電極またはゲートとのいずれにおいても、電流測定および／または電圧測定を実施可能である。強度変調入射電磁放射の位相および振幅を決定するための上記従来技術で公知の測定方法の場合は、光混合装置の変調ゲートに対して、入射電磁放射の強度変調と相関関係にある１つの振幅変調電圧信号、または、さらに位相が１８０°ずれた２つの振幅変調電圧信号を供給する必要がある。ここで、最も簡単な場合の「相関」とは、光混合装置のバイアス電圧と電磁放射それぞれの振幅変調または強度変調が同じ時間経過を有することを意味しており、光信号と電気信号の間の位相固定結合とも称される。これにより、電気信号を基準信号と称することもできる。また、読み出し電極を介して測定される電圧信号または電流信号は、生成電荷キャリア数と変調電圧または基準電圧の積の関数である。したがって、測定信号は、入射電磁波の強度および電磁波と基準電気信号間の位相差の関数である。なお、隣接する２つの光混合装置を用いて入射信号の直交成分を同時に測定する場合は、電磁波と基準電気信号間の位相差が直接得られる。ただし、基準信号の位相が２回の測定でそれぞれ９０°ずれている場合は、単一の光混合装置のみを用いて、直交成分を連続的に測定することも可能である。
【００１８】
本発明の別の態様として、上記混合器の読み出し電極をダイオードとして構成すれば特に好ましい。このような混合器では、各読み出し電極における電流の方向が、すべての読み出し電極に対して同じ１方向のみとなる。したがって、本発明の方法は、これらの混合器に適用すれば特に都合がよい。
【００１９】
上記混合器の２つの出力における差分を、その読み出し時に２つ一組で直接生成するために、好ましくは混合器出力のうち一方の信号ストリームを反転し、第２の出力信号とともに共通の加算点へ直接伝達することが可能である。
【００２０】
本発明の別の態様として、上記混合器の第１出力における信号ストリームの振幅を測定することとすれば特に好ましい。前述の光混合装置の場合は、一方の読み出し電極における信号ストリームの振幅を測定する。
【００２１】
次いで、上記混合器の第１出力および第２出力それぞれの信号ストリームの差分を生成可能とするために、第１出力の信号ストリームをその関数である電圧信号に変換する。信号ストリームの電圧信号への変換は、調節装置を用いて行われる。また、電圧信号の振幅は、この調節装置の電圧入力に印加される制御電圧を用いて調節される。
【００２２】
そして、好ましくは電圧電流変換器を用いて、上記電圧信号をその関数である電流信号に変換する。この電圧電流変換器を通って変換された電流信号は、第２混合器出力の信号ストリームと逆符号である。便宜上、電圧電流変換器の特性は、制御入力を介して制御可能であるものとする。
【００２３】
調節装置および電圧電流変換器の調節は、第１混合器出力の信号ストリームと電圧電流変換器を通って変換された電流信号とが同じ値を有するように行うこととすれば特に好ましい。これにより、無相関の信号成分は完全に抑制される。ただし、他の信号抑制度を設定することも可能である。
【００２４】
本発明の別の態様として、第２混合器出力の信号ストリームと、第１混合器出力の変換電流信号または反転信号ストリームとが第１加算点に伝達される構成とすれば特に好ましい。ここで、上記加算点の第３端子を通って流れる電流は、少なくとも部分的には相関する第１および第２混合器出力における２つの信号ストリームの差分に一致する。この差分信号は、混合器出力の相関信号成分を２倍したものに等しい。相関信号成分を無相関信号成分から分離するための本差分方法は、例えば生産技術に起因して混合器に生じ得る２つの信号経路間の不平衡による影響をほとんど受けないことからも都合がよい。
【００２５】
上記加算点通過後の信号ストリームの差分が積分されて電圧信号が生成される構成とすれば都合がよい。
【００２６】
本発明の別の態様として、上記加算点または積分器後段の信号処理装置において、上記差分信号がさらに処理される構成とすれば特に好ましい。
【００２７】
第１混合器出力の電圧信号に応じた２つの電流信号が生成される構成とすれば都合がよい。この生成は、例えば電圧電流変換器の第２出力または電圧電流変換器後段に追加したレプリケータを介して行うことができる。なお、このようにして生成された電流信号は、いずれも同じ振幅を有するものとする。上記２つの電流信号のうち一方のみが第２出力やレプリケータを通らずに第１加算点に積算される場合は、相関信号成分および無相関信号成分の合計の関数である電圧信号が得られる。この信号は、例えば混合システムの調節に用いられる。
【００２８】
本発明の別の態様として、上記２つの混合器出力における２つの信号ストリームの差分に加えて、その合計も生成される構成とすれば特に好ましい。
【００２９】
この目的のために、第１および第２混合器出力それぞれの電流信号を複製すれば都合がよい。各混合器出力の複製信号ストリームの一方は、第２加算点に伝達される。第２加算点における上記２つの信号ストリームは同じ符号を有するため、これら２つの信号ストリームの合計は、この加算点において直接生成される。合計信号が第２加算点後段においてさらに積分される場合は、第２加算点後段における２つの信号ストリームの合計に等しい電圧信号が得られる。
【００３０】
合計の生成時に、上記２つの信号ストリームの相関信号成分は、それぞれの寄与により相殺される一方、合計信号は、一方の信号ストリームの無相関信号による寄与を２倍したものに一致する。
【００３１】
装置に関して言えば、上記目的は、少なくとも２つの信号入力と少なくとも２つの電気信号出力とを有する混合器から出力される、少なくとも部分的には相関する少なくとも２つの出力信号ストリームを処理する電子回路であって、混合器の出力信号ストリーム間の差分を２つ一組で生成する装置を有する電子回路を提供することによって達成される。
【００３２】
本発明の別の態様として、上記混合器の読み出し電極をダイオードとして構成すれば特に好ましい。このような混合器では、各読み出し電極における電流の方向が、すべての読み出し電極に対して同じ１方向のみとなる。したがって、このような混合器は、本発明の装置とともに作動させれば特に都合がよい。
【００３３】
本発明の電子回路は、第１混合器出力の電流信号を反転する装置を有し、この装置を第１混合器出力に接続して反転を行うように構成すれば都合がよい。
【００３４】
上記反転用の装置は、第１出力の信号ストリームをそれに応じた電圧信号に変換する装置を有し、この装置を混合器の第１出力に接続して変換を行うように構成すれば都合がよい。第１出力の信号ストリームをそれに応じた電圧信号に変換する上記装置としては、調節装置を用いることが可能であり、その特性は、電圧入力に印加される電圧によって制御可能である。また、反転電流信号を生成するために、電圧信号をそれに応じた電流信号に変換する電圧電流変換器を設ける。なお、この電圧電流変換器の電圧電流変換特性を調節可能なように構成すれば都合がよい。
【００３５】
上記電圧電流変換器の出力と上記混合器の第２出力が加算点に接続されているため、２つの信号ストリームの差分に一致する電流が加算点の第３端子を介して流れる。
【００３６】
電流の差分を積分して電圧信号を生成する積分器を上記加算点後段に設ける構成とすれば都合がよい。
【００３７】
本発明の別の態様として、上記電圧電流変換器が、上記混合器の第１出力の信号ストリームに比例する反転電流信号を出力する２つの出力を有する構成とすれば特に好ましい。
【００３８】
上記の代替として、電圧電流変換器の出力に電流レプリケータを接続することもできる。
【００３９】
上記２つの電流信号のうち一方を積分して電圧信号を生成する積分器を、上記電圧電流変換器の一方の出力または上記電流レプリケータの後段に設ける構成とすれば都合がよい。この積分電圧信号は、第１信号ストリームの相関信号成分および無相関信号成分の関数である。
【００４０】
本発明の別の態様として、２つの混合器出力の信号ストリームを合計する装置をさらに設けた構成とすれば特に好ましい。
【００４１】
上記のような装置は、混合器出力において２つの同一電流信号をそれぞれ生成する、混合器出力後段に設けたレプリケータによって実現可能である。それぞれの混合器出力における２つの電流信号のうち一方を第２加算点に接続する。この加算点の第３端子は、合計電流信号を積分して電圧信号を生成する積分器に接続する。
【００４２】
本発明の別の態様として、上記電子回路を集積回路で構成すれば特に好ましい。この集積回路は、例えば公知のシリコン技術において製造可能である。また、上記電子回路を電子混合素子または光電混合素子とともに１つの構成要素上に集積する構成とすれば都合がよい。さらに、差分および合計を生成する電子回路とともに、複数の混合素子を１つの構成要素上にそれぞれ集積する構成とすることもできる。これにより、例えばビデオ信号を記録する混合器を２次元に配置した高集積電子構成品が製造可能となる。なお、合計および差分を生成するため、画像素子とそれに関連する回路を形成する個々の混合器は集積させてある。
【００４３】
本発明のその他の特徴、利点、および利用可能性については、以下に示す好適な実施形態の説明および添付の図面を用いて明らかにする。
【発明を実施するための最良の形態】
【００４４】
本発明に係る回路の概略構成を図１に示す。本実施例において、混合器１は、２つの信号入力２、３および２つの信号出力Ａ、Ｂを有する。
【００４５】
また、本実施例において、入力信号Ｓ１は電磁波である一方、入力信号Ｓ２は基準電気信号である。
【００４６】
このことから、混合器１は、図２に示すように光混合装置として設計されており、信号Ｓ１用の感光層と、基準電気信号Ｓ２用の２つの変調ゲート１３２、１３３を備えている。混合器１の２つの変調ゲート１３２、１３３には、互いに位相が１８０°ずれた基準電気信号Ｓ２が供給される。変調ゲート１３２、１３３は、入射電磁放射Ｓ１に対して透明であり、感光層上に配置されたゲートである。この光混合装置は、変調ゲートに隣接して配置され、感光層と電気的に接続された２つの読み出し電極１３０、１３１をさらに有する。また、この光混合装置１の読み出し電極１３０、１３１は、本実施例において、ダイオードの電流・電圧特性を有しており、混合器１の信号出力Ａ、Ｂを形成する。
【００４７】
上記の代替例として、光混合装置の読み出し電極１３０、１３１に対して基準電気信号Ｓ２を同時に供給することにより、変調ゲート１３２、１３３を省略することができる。この場合、基準信号Ｓ２用の入力２は、混合器１の信号出力Ａ、Ｂに一致する。
【００４８】
図１に示す回路を理解するために、まず、混合器出力Ａの信号ストリームＩａの流れをたどる。信号ストリームＩａは、信号ストリームＩａをそれに応じた電圧信号ＵＲに変換する調節装置４に伝達される。調節装置４の特性は、電圧入力５に印加される電圧Ｕａにより制御可能である。また、この調節装置が出力する電圧信号ＵＲは、信号ストリームＩａの振幅の関数である。
【００４９】
調節装置４の出力は、電圧電流変換器６の電圧入力７に接続される。これにより、電圧信号ＵＲが電流信号Ｉａ２に変換される。この電流信号Ｉａ２は電圧電流変換器６の入力電圧ＵＲによって決まるため、混合器１の出力Ａの電流信号Ｉａにも依存することになる。電圧電流変換器６の電圧電流変換特性は、特性入力８とそこに印加される制御信号Ｋにより設定可能である。
【００５０】
調節装置４と電圧電流変換器６の特性を適切に設定することにより、電流Ｉａ２の値が混合器１の出力Ａの信号ストリームＩａと等しくなるように設定することができる。
【００５１】
電圧電流変換器６の電流出力Ｉａ２は、加算点９に伝達される。また、混合器１の出力Ｂの第２信号ストリームＩｂについても、同様に加算点９に接続されている。なお、電流信号Ｉａ２は、混合器１の出力Ｂの信号ストリームＩｂと反対の符号を有するものとする。これにより、加算点９の第３端子を介して流れ出る電流は、電流ＩｂおよびＩａ２の差分に等しくなる。この差分信号Ｉｄは、混合器１の信号ストリームの相関信号成分を２倍した大きさである。
【００５２】
加算点９から流れ出る差分信号Ｉｄは、積分器１０により積分されて、電圧信号Ｕｄが生成される。
【００５３】
加算点９における電流ＩｂおよびＩａ２の差分生成中は、無相関信号によるすべての寄与が無効化されるため、無相関信号成分から相関信号成分を容易に分離可能となる。したがって、積分器から読み出される電圧信号Ｕｄに対するその後の処理は、無相関信号成分による下流側判定回路のダイナミックレンジの狭帯化を伴うことなく実施可能である。
【００５４】
相関信号成分に加えて、信号全体の情報も得られる場合は、図３に示す回路を用いることができる。図３の回路構成は、電圧電流変換器２０６の第２出力２１１を有する点が図１の回路と異なる。上記と同様に、この第２出力２１１から出力される電流信号Ｉａ３も、混合器２０１の出力Ａにおける信号ストリームＩａの値と比例関係または同等関係にある。電流信号Ｉａ３は、積分器２１２により積分されて、相関信号成分および無相関信号成分に関するデータを含む電圧信号Ｕｇが生成される。
【００５５】
一方、無相関信号成分に関するデータを追加で取得したい場合は、図１に対してわずかに修正を加えた図４の回路を用いなければならない。この回路において、混合器３０１の信号出力Ａ、Ｂ後段には、電流レプリケータ３１３、３１４が設けられており、信号ストリームＩａ、Ｉｂを２つの出力から得られるようにしている。また、各レプリケータ３１３、３１４の２つの出力のうち一方を用いて、図１に示すように、２つの信号ストリームＩａ、Ｉｂの差分を生成する。各レプリケータ３１３、３１４の第２出力は、第２加算点３１５に伝達されるが、これら２つの信号ストリームＩａ、Ｉｂは同じ符号である。そして、第２加算点３１５から流れ出る合計電流信号ＩＳは、電流Ｉａ、Ｉｂの合計に一致しており、この合計には、信号ストリームＩａ、Ｉｂの無相関信号成分が含まれる。この電流信号ＩＳを積分器３１６で積分すれば、混合器３０１の２つの信号ストリームＩａ、Ｉｂの合計に比例する電圧信号ＵＳが得られる。
【図面の簡単な説明】
【００５６】
【図１】本発明の第１実施例に係る概略回路構成である。
【図２】光混合装置の概略図である。
【図３】本発明の第２実施例に係る概略回路構成である。
【図４】本発明のその他の実施例に係る概略回路構成である。
【図１】
2005338062.tif 000003
【図２】
2005338062.tif 000004
【図３】
2005338062.tif 000005
【図４】
2005338062.tif 000006
【外国語明細書】
2005338062000001.pdf
2005338062000002.pdf
2005338062000003.pdf
2005338062000004.pdf